【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
シート製品ディスペンサであって、
シート材のロールを補充する補充ステーションと、
前記ロールからシート材を送給するように構成されたシート送給機構と、
前記シート材の１枚または複数の個別シート製品を最終使用者に提供する提供ステーションと、
前記シート送給機構の下流かつ前記提供ステーションの上流にあって、前記シート材を折り畳むように構成された折り畳みステーションと、
前記１枚または複数の個別シート製品を前記提供ステーションに搬送するように構成されたシート製品搬送機構と、
前記シート材から前記１枚または複数の個別シート製品を分離する分離機構であって、前記シート送給機構を第一の速度によって駆動し、前記シート製品搬送機構を前記第一の速度より早い第二の速度で駆動するように構成された分離機構と、
前記シート送給機構の下流かつ前記シート製品搬送機構の上流にあるセンサであって、前記シート材の存在を検出するように構成されたセンサと、
信号に応答して前記１枚または複数の個別シート製品を前記提供ステーションへ排出することを促進させるように構成されたコントローラであって、前記センサに関連するデータを含むデータを受け取りかつ保存するようにも構成されたコントローラと、
を含む、シート製品ディスペンサ。
【請求項２】
前記シート製品搬送機構はピンチローラの対を含む、請求項１に記載のディスペンサ。
【請求項３】
前記折り畳みステーションは、前記ピンチローラの対に隣接するバックルチャンバを含み、それにより、前記シート材の一部が前記バックルチャンバに入り、および前記シート材の折り畳み部が前記ピンチローラの対を通じて強制的に作られる、請求項２に記載のディスペンサ。
【請求項４】
前記センサは赤外線センサである、請求項１に記載のディスペンサ。
【請求項５】
前記信号を前記コントローラに送信するように構成されたユーザインタフェースをさらに含む、請求項１に記載のディスペンサ。
【請求項６】
前記ユーザインタフェースは、ハンドウェーブセンサを含み、および
前記コントローラは、前記信号に応答して個別シート製品の所定枚数の排出を促進するように構成される、請求項５に記載のディスペンサ。
【請求項７】
前記信号に応答して排出されるべき前記個別シート製品の所定枚数に設定されるように構成された内部ロータリスイッチをさらに含む、請求項６に記載のディスペンサ。
【請求項８】
前記提供ステーションに個別シート製品がないことを検出し、前記提供ステーションに前記個別シート製品がないことが検出されると前記コントローラに前記信号を送信するように構成された第二のセンサをさらに含み、前記コントローラは、前記信号に応答して個別シート製品の所定枚数の排出を促進するように構成される、請求項１に記載のディスペンサ。
【請求項９】
前記信号に関連付けられた前記個別シート製品要求枚数は、前記信号に応答して排出されるべき前記個別シート製品の所定枚数である、請求項８に記載のディスペンサ。
【請求項１０】
前記コントローラに動作可能に接続され、かつ前記信号に応答して前記シート送給機構を駆動するように構成されたモータをさらに含み、前記データは、前記モータがオンにされる時間、前記モータがオフにされる時間、前記モータがオンにされてから前記モータがオフにされるまでの時間、またはそれらの組合せをさらに含む、請求項１に記載のディスペンサ。
【請求項１１】
前記データは、前記信号に関連付けられた前記個別シート製品要求枚数と前記センサにより検出された前記シート材に関連付けられた個別シート製品枚数とを含み、および
前記コントローラは、前記信号に関連付けられた前記個別シート製品要求枚数と前記センサにより検出された前記シート材に関連付けられた前記個別シート製品枚数とを比較し、かつ前記センサにより検出された前記シート材に関連付けられた前記個別シート製品枚数が前記信号に関連付けられた前記個別シート製品要求枚数と一致する時に前記モータをオフにするように構成される、請求項１０に記載のディスペンサ。
【請求項１２】
前記シート材にミシン目が設けられる、請求項１に記載のディスペンサ。
【請求項１３】
前記折り畳みステーションは、タッカ折り機構を含む、請求項１に記載のディスペンサ。
【請求項１４】
シート製品を排出する方法であって、
シート送給機構を介してロールからシート材を送給するステップと、
分離機構を介して前記ロールから１枚または複数の個別シート製品を分離するステップと、
前記シート送給機構の下流にある折り畳みステーションで前記シート材を折り畳むステップと、
コントローラが受け取った信号に応答して、シート製品搬送機構を介して提供ステーションにおいて最終使用者に前記折り畳んだ１枚または複数の個別シート製品を排出するステップと、
前記シート送給機構の下流かつ前記シート製品搬送機構の上流にあるセンサを介して前記シート材の存在を検出するステップと、
センサに関連するデータを含むデータを収集および保存するステップと、を含み、
前記分離機構は、前記シート送給機構を第一の速度によって駆動し、前記シート製品搬送機構を前記第一の速度より早い第二の速度で駆動するように構成される、方法。
【請求項１５】
前記信号をユーザインタフェースから前記コントローラに送信するステップをさらに含む、請求項１４に記載の方法。
【請求項１６】
前記提供ステーションに個別シート製品がないことを検出するステップと、
前記提供ステーションに前記個別シート製品がないことが検出されると、前記信号を前記コントローラに送信するステップと、
をさらに含み、
前記排出するステップは、前記信号に応答して個別シート製品の所定枚数を排出するステップを含む、請求項１４に記載の方法。
【請求項１７】
前記折り畳みステーションは、タッカ折り機構を含む、請求項１４に記載の方法。
【請求項１８】
前記センサーは、前記折り畳みステーションに前記シート材があることを検出するように構成された、請求項１４に記載の方法。
【請求項１９】
シート製品を排出するシステムであって、
コンピュータ実行可能命令を記憶した少なくとも１つのメモリと、
前記少なくとも１つのメモリにアクセスするように構成された少なくも１つのコントローラと、
を含み、
前記少なくとも１つのコントローラは、コンピュータ実行可能命令を実行して、
インタフェースから、シート製品搬送機構を介して提供ステーションにおいて最終使用者へ排出されるべき個別シート製品の枚数に関する要求を示す信号を受け取り、
前記信号の受取に応答して、シート送給機構を介したロールからのシート材の送給と、分離機構を介した前記ロールからの１枚または複数の個別シート製品の分離と、前記シート送給機構の下流にある折り畳みステーションにおける前記シート材の折り畳みと、を指示し、
前記シート送給機構の下流かつ前記シート製品搬送機構の上流にあるセンサから、前記センサによる前記シート材の存在の検出を示す検出インディケータを受け取り、
前記センサに関連するデータを含むデータを測定し、および
１つまたは複数のデータストアに前記データの少なくとも一部を保存することを指示し、
前記分離機構は、前記シート送給機構を第一の速度によって駆動し、前記シート製品搬送機構を前記第一の速度より早い第二の速度で駆動するように構成される、システム。
【請求項２０】
前記１つまたは複数のデータストアは、前記少なくとも１つのメモリの少なくとも一部を含む、請求項１９に記載のシステム。
【請求項２１】
前記インタフェースは、前記信号を送信するように構成されたユーザインタフェースを含み、および前記信号に関連付けられた前記個別シート製品要求枚数は、前記信号に応答して排出されるべき個別シート製品の所定枚数である、請求項１９に記載のシステム。
【請求項２２】
シート製品を排出する方法であって、
インタフェースから、少なくとも１つのメモリにアクセスするように構成された少なくとも１つのコントローラによって、シート製品搬送機構を介して提供ステーションにおいて最終使用者へ排出されるべき個別シート製品の枚数に関する要求を示す信号を受け取るステップと、
前記少なくとも１つのコントローラによって、前記信号の受取に応答して、シート送給機構を介したロールからのシート材の送給と、分離機構を介した前記ロールからの１枚または複数の個別シート製品の分離と、前記シート送給機構の下流にある折り畳みステーションにおける前記シート材の折り畳みと、を指示するステップと、
前記少なくとも１つのコントローラによって、前記シート送給機構の下流かつ前記シート製品搬送機構の上流にあるセンサから、前記センサによる前記シート材の存在の検出を示す検出インディケータを受け取るステップと、
前記少なくとも１つのコントローラによって、前記センサに関連するデータを含むデータを測定するステップと、
前記少なくとも１つのコントローラによって、１つまたは複数のデータストアに前記データの少なくとも一部を保存することを指示するステップと、を含み、
前記分離機構は、前記シート送給機構を第一の速度によって駆動し、前記シート製品搬送機構を前記第一の速度より早い第二の速度で駆動するように構成される、方法。